(57)【要約】【課題】反射表示と透過表示の双方が可能な半透過反射型の液晶表示装置であって、高輝度、高コントラストの表示が可能であり、かつ薄型化、軽量化に有利な構成を備え、低コストで製造可能な液晶表示装置、及びこれを備えた電子機器を提供する。【解決手段】互いに対向する上基板１４と下基板１３との間に液晶層１６が挟持され、前記液晶層１６の上基板１４側に偏光板３６が設けられ、前記液晶層１６の下基板１３側に反射偏光層１８が設けられ、前記液晶層１６は、二色性色素を混入された捩れネマチック液晶を含み、前記上基板１４に隣接する位置における前記液晶層１６の液晶分子Ｌの配向方向が、前記偏光板３６の透過軸と略平行であり、前記偏光板３６の透過軸と、前記反射偏光層１８の透過軸との成す角度が、０°以上７０°以下である構成とした。【選択図】        図１
2004341109.tif 000002
【特許請求の範囲】
【請求項１】
互いに対向する上基板と下基板との間に液晶層が挟持され、前記上基板側に偏光層が設けられ、前記下基板の内面側に反射偏光層が設けられた液晶パネルと、前記液晶パネルの背面側に照明装置とを備えた液晶表示装置であって、
前記液晶層が、二色性色素を混入された捩れネマチック液晶を含み、前記上基板に隣接する位置における液晶層の液晶分子の配向方向が、前記偏光層の透過軸と略平行とされていることを特徴とする液晶表示装置。
【請求項２】
前記偏光層の透過軸と、前記反射偏光層の反射軸との成す角度が、０°以上７０°以下であることを特徴とする請求項１に記載の液晶表示装置。
【請求項３】
前記下基板に隣接する位置における前記液晶層の液晶分子の配向方向が、前記反射偏光層の反射軸に対して３０°以下の角度を成していることを特徴とする請求項１又は２に記載の液晶表示装置。
【請求項４】
前記下基板に隣接する位置における前記液晶分子の配向方向が、前記反射偏光層の反射軸と略平行であることを特徴とする請求項３に記載の液晶表示装置。
【請求項５】
前記反射偏光層が、金属反射膜にスリット状の開口部を設けた構造を有していることを特徴とする請求項１ないし４のいずれか１項に記載の液晶表示装置。
【請求項６】
前記反射偏光層が、プリズム形状を成す誘電体干渉膜を積層した構造を有していることを特徴とする請求項１ないし４のいずれか１項に記載の液晶表示装置。
【請求項７】
請求項１ないし６のいずれか１項に記載の液晶表示装置を備えたことを特徴とする電子機器。
【発明の詳細な説明】
【０００１】
【発明の属する技術分野】
本発明は、液晶表示装置、及び電子機器に関するものである。
【０００２】
【従来の技術】
従来から、明るい場所では、通常の反射型の液晶表示装置と同様に外光を利用し、暗い場所では、内部の光源により表示を視認可能にした半透過反射型液晶表示装置が提案されている。この液晶表示装置は、反射型と透過型を兼ね備えた表示方式を採用しており、周囲の明るさに応じて反射表示または透過表示のいずれかの表示方式に切り替えることにより、消費電力を低減しつつ周囲が暗い場合でも明瞭な表示を行うことができる。
【０００３】
上記半透過反射型液晶表示装置では、開口部を有する金属反射膜を、液晶パネルを構成する基板内面に備えたものが一般的であるが、この種の液晶表示装置では、高品質の透過表示が得られないという問題を有していた。これは、視差が生じないように液晶パネル内面に半透過反射膜を設けているために、反射表示を液晶パネル前面に設けられた１枚の偏光板で行わなければならないという制約が生じ、光学設計の自由度が極度に小さくなることによる。そこで、反射表示を行うために設けられる反射層に偏光変換機能を付与することで、反射表示部における制約を緩和し、もって透過表示の光学設計を適切に行うことで、表示輝度及びコントラストの向上を図った半透過反射型液晶表示装置が提案されている（特許文献１、特許文献２参照）。
【０００４】
【特許文献１】
特開平１１−３４４７０２号公報
【特許文献２】
特開２００３−４３４７３号公報
【０００５】
【発明が解決しようとする課題】
しかしながら、上記特許文献１に記載の半透過反射型液晶表示装置では、反射表示と透過表示とでネガポジ反転が生じるという問題を有している。この文献では、バックライトの電源のオン／オフ切替と同時に、白黒反転駆動回路を機能させて正常に表示が行われるようにしているが、透過表示において、液晶パネルに入射する外光の影響でコントラストが低下するのは避けられない。
これに対して、特許文献２に記載の半透過反射型液晶表示装置では、開口部を有する反射偏光層の外側に吸収偏光板が配設されており、上記反射表示と透過表示でのネガポジ反転を防止でき、透過表示時に液晶パネルに外光が入射してもコントラストの低下が生じないようになっている。しかしながら、明るい透過表示を得るためにバックライト光をリサイクルするための反射偏光板を上記吸収偏光板の外側に設けると、液晶表示装置の厚さが相当に大きくなり、半透過反射型液晶表示装置の好適な用途である携帯機器への搭載に際しては、薄型化、軽量化の点で不利になる。
【０００６】
本発明は、上記課題を解決するために成されたものであって、反射表示と透過表示の双方が可能な半透過反射型の液晶表示装置であって、高輝度、高コントラストの表示が可能であり、かつ薄型化、軽量化に有利な構成を備え、低コストで製造可能な液晶表示装置、及びこれを備えた電子機器を提供することを目的としている。
【０００７】
【課題を解決するための手段】
上記課題を解決するために、本発明の液晶表示装置は、互いに対向する上基板と下基板との間に液晶層が挟持され、前記上基板側に偏光層が設けられ、前記下基板の内面側に反射偏光層が設けられた液晶パネルと、前記液晶パネルの背面側に照明装置とを備えた液晶表示装置であって、前記液晶層は、二色性色素を混入された捩れネマチック液晶を含み、前記上基板に隣接する位置における液晶層の液晶分子の配向方向が、前記偏光層の透過軸と略平行とされていることを特徴としている。
【０００８】
本構成の液晶表示装置の基本構成は、二色性色素を混入された捩れネマチック液晶が含まれる液晶層によるゲストホストモードを備え、前記液晶層の下基板側に反射偏光層を備えた半透過反射型の液晶表示装置である。そして、表示原理は後述の実施形態に詳細に記載するが、反射表示においては、ゲストホスト液晶の吸収を利用した暗表示を行い、透過表示においては、液晶の旋光性を利用した暗表示を行うことができるようになっている。この構成により、反射表示と透過表示とでネガポジ反転が生じるのを防止することができ、外光の影響を受け難く、従って高コントラストの表示を得られるようになっている。
【０００９】
また、上記偏光層の透過軸と反射偏光層の反射軸との成す角度を調整することで、透過表示と反射表示の明るさを調整することが可能になっているので、液晶表示装置の用途に合わせて、当該装置の透過／反射特性を任意に設定することができ、種々の用途に柔軟かつ迅速に対応できる。従って、本構成によれば、携帯用電子機器の表示部として用いて好適な半透過反射型液晶表示装置を提供することができる。
【００１０】
また、反射偏光層に透過表示のための開口領域を設けない構成とされていることで、光の利用効率が向上し、もって明るい表示を得ることができるとともに、製造の容易性に優れ、低コストで製造可能な液晶表示装置とされている。
さらに、液晶層の下基板側に吸収型の偏光板を設けることなく、透過表示を行うことができるようになっているので、従来下基板の外面側に設けられていた偏光板の分だけ液晶表示装置を薄型化、軽量化することが可能になっている。
またさらに、透過表示を行う場合に、下基板の外面側に配設されたバックライト等の照明装置からの光のうち、反射偏光層により反射された成分についても、照明光としてリサイクルすることが可能になっており、これによりさらに透過表示の明るさを向上させる効果を奏する。このように反射偏光層が照明光のリサイクル機能を有していることで、従来、バックライト光のリサイクルを行うために下基板の外面側に必要とされていた反射偏光板が不要になり、この点においても、本発明の液晶表示装置は薄型化、軽量化に有利であり、携帯用電子機器の表示部として用いるのに極めて有効である。
【００１１】
また本発明の液晶表示装置では、前記偏光層の透過軸と、前記反射偏光層の反射軸との成す角度が、０°以上７０°以下であることが好ましい。前記角度を０°とすれば、反射表示は液晶の電圧印加状態によらず暗表示となるものの、透過表示の明るさを最大とすることができ、下基板の外面側に偏光板を設ける必要が無く、またバックライト等の照明装置の光をリサイクルすることが可能である、薄型、軽量、かつ高輝度の透過型液晶表示装置を提供することができる。
また、上記角度を０°を超えて７０°以下とするならば、透過表示の明るい半透過反射型液晶表示装置を提供することができる。上記角度が７０°を超える場合には、反射表示は明るくなるものの、実用的な透過表示の明るさが得られなくなるおそれがあり、反射偏光層を設けるメリットが小さくなる。
【００１２】
本発明の液晶表示装置では、前記下基板に隣接する位置における前記液晶層の液晶分子の配向方向が、前記反射偏光層の反射軸に対して３０°以下の角度を成していることが好ましい。
本発明に係る液晶表示装置において、上記液晶分子の配向方向と、反射偏光層の反射軸との成す角度は、反射表示における黒レベル（暗表示の暗さ）に影響し、上記角度を３０°以下とするならば、実用的なコントラストの表示が得られる。
【００１３】
本発明の液晶表示装置では、前記下基板に隣接する位置における前記液晶分子の配向方向が、前記反射偏光層の反射軸と略平行であることが好ましい。上記液晶分子の配向方向と、反射偏光層の反射軸とを平行とするならば、反射表示における二色性色素による光の吸収効率を最大にすることができ、もって液晶表示装置のコントラストを最大にすることができる。
【００１４】
本発明の液晶表示装置では、前記反射偏光層が、金属反射膜にスリット状の開口部を設けた構造を有している構成とすることができる。
また本発明の液晶表示装置では、前記反射偏光層が、プリズム形状を成す誘電体干渉膜を積層した構造を有している構成とすることもできる。
上記いずれの構造の反射偏光層を用いた場合にも、上述の作用効果を得ることができ、高輝度、高コントラスト表示が得られ、かつ薄型、軽量の液晶表示装置を提供することができる。
【００１５】
本発明の電子機器は、先に記載の本発明の液晶表示装置を備えたことを特徴としている。この構成によれば、透過表示と反射表示の双方で明るく、高画質の表示が可能であり、かつ薄型、軽量の表示部を備えた電子機器を提供することができる。
【００１６】
【発明の実施の形態】
以下、本発明の実施の形態を図１ないし図５を参照して説明する。
（液晶表示装置の構成）
図１は、本実施の形態の液晶表示装置の１画素領域における部分断面構成図であり、図２は、その表示原理を説明するために必要な構成要素のみを示す説明図である。
尚、本実施の形態は、アクティブマトリクス型のカラー液晶表示装置の例であり、図１には、１画素領域の略中央部の構成のみを図示している。また、全ての図面においては、図面を見易くするために各構成要素の膜厚や寸法の比率などは適宜異ならせて表示している。
【００１７】
図１に示すように、本実施形態の液晶表示装置１０は、液晶パネル１１と、バックライト（照明装置）１２とを備えたものであり、液晶パネル１１は、対向配置された下基板１３及び上基板１４と、これら上基板１４と下基板１３とに挟まれた液晶層１６とを備えている。前記液晶層１６は、二色性色素を添加した液晶により構成されている。そして、液晶パネル１１の後面側（下基板１３の外面側）にバックライト１２が配置されている。
バックライト１２は、光源３７と反射板３８と導光板３９とを有しており、導光板３９の下面側（液晶パネル１１と反対側）に、導光板３９中を進行する光を液晶パネル１１に向けて出射するための反射板４０が設けられている。
【００１８】
本実施形態における二色性色素は、液晶に添加したときに二色性色素分子Ｓが液晶分子Ｌと同方向に配向するものであり、液晶分子Ｌの配向方向（ダイレクタの向き）に平行な直線偏光に対して最大の吸光度を示し、液晶分子Ｌの配向方向に垂直な直線偏光に対して最小の吸光度を示す、いわゆるＰ型の二色性色素である。
【００１９】
ガラスやプラスチックなどの透光性材料からなる下基板１３の内面には、反射偏光層１８が形成されている。この反射偏光層１８には、例えば図４及び図５に示す構造のものを適用することができる。図４及び図５は、本実施形態に係る反射偏光層の構成例を示す図である。
図４に示す反射偏光層１８は、アルミニウムや銀などの光反射性の金属反射膜１８ａに複数の微細なスリット状の開口部１８ｂを所定のピッチで形成した構成を備えている。図４に示す反射偏光層１８は、入射した光のうち、金属反射膜１８ａの延在方向と平行な偏光成分を反射し、金属反射膜１８ａの延在方向と垂直な偏光成分は透過するようになっている。
前記開口部１８ｂ…は互いにほぼ平行に形成されており、その幅は各開口部１８ｂでほぼ同一に形成されている。前記金属反射膜１８ａの膜厚は、１００ｎｍ〜４００ｎｍ程度であり、開口部１８ｂの幅は３０ｎｍ〜３００ｎｍ程度である。また、１本の金属反射膜１８ａの幅は３０ｎｍ〜３００ｎｍ程度である。
【００２０】
図５に示す反射偏光層１８は、プリズム形状を成す誘電体干渉膜を積層した反射偏光層であり、下基板１３上に透光性の樹脂材料や無機材料により形成された断面三角形状の凸状部１８ｃ上に、例えばＴｉＯ２からなる第１誘電体層１８ｄと、例えばＳｉＯ２からなる第２誘電体層１８ｅとを交互に複数積層した構成を備えている。
図５に示す反射偏光層１８は、入射した光のうち、前記凸状部１８ｃの稜線方向（斜面部の延在方向）と平行な偏光成分は反射し、前記凸状部１８ｃの稜線方向と垂直な偏光成分は透過するようになっている。
上記凸状部１８ｃのピッチは０．５μｍ程度とされ、前記第１誘電体層１８ｄ、第２誘電体層１８ｅの積層ピッチは０．５μｍ程度とされる。
【００２１】
そして、上記反射偏光層１８上に、ＩＴＯ（インジウム錫酸化物）等の透明導電材料からなる画素電極２３が形成され、画素電極２３を覆ってポリイミド等からなる配向膜２４が積層されている。本実施の形態の場合、下基板１３はＴＦＴ等の画素スイッチング素子、データ線、走査線等が形成されたアレイ基板とされているが、図１においては、画素スイッチング素子、データ線、走査線等の図示は省略している。
【００２２】
一方、ガラスやプラスチック等の透光性材料からなる上基板１４の内面側には、ＩＴＯ等の透明導電材料からなる共通電極３２、ポリイミド等からなる配向膜３３が順次積層されている。上基板１４の外面側には偏光板（偏光層）３６が設けられている。尚、図示を省略したが、上基板１４の内面側（液晶層１６側）には、Ｒ（赤）、Ｇ（緑）、Ｂ（青）の各色材層を有するカラーフィルタが設けられている。
【００２３】
上基板１４及び下基板１３の内面側に設けられた配向膜３３，２４は、ともにラビング処理等の水平配向処理が施されている。図３は、これら配向膜３３，２４の配向方向と、偏光板３６、反射偏光層１８の偏光軸との配置を示す説明図である。上記上基板１４側の配向膜３３の配向方向は、偏光板３６の透過軸とほぼ平行とされ、下基板１３の配向方向は、反射偏光層１８の反射軸とほぼ平行である。従って、図３に示すように、液晶層１６の液晶分子Ｌと、二色性色素分子Ｓとは、非選択電圧印加（電圧オフ）時に、上基板１４に隣接する位置の液晶分子Ｌ１は偏光板３６の透過軸３６ｔとほぼ平行（図１紙面にほぼ平行）に配向され、下基板１３に隣接する位置の液晶分子Ｌ２は、反射偏光層１８の反射軸１８ｒとほぼ平行（透過軸１８ｔとほぼ垂直）に配向されている。そして、上基板１４と下基板１３との間で、前記配向膜３３の配向方向と、配向膜２４の配向方向との交差角φだけツイストした状態で配向されている。この液晶のツイスト角は、上記交差角φに１８０°の倍数を加算した角度とすることもでき、例えば交差角φが４５°であれば、液晶層１６は２２５°のツイスト配向とすることもできる。
【００２４】
本実施形態の液晶表示装置１０では、上記偏光板３６の透過軸３６ｔと、反射偏光層１８の反射軸１８ｒとの成す角度を調整することで、反射表示及び透過表示の明るさを調整することができるようになっている。その理由は、本実施形態では、反射表示においては、反射偏光層１８側から偏光板３６に入射する光は、反射偏光層１８の反射軸１８ｔに平行な直線偏光とされ、透過表示においては、反射偏光層１８側から偏光板３６に入射する光は、反射偏光層１８の透過軸１８ｔと平行な光とされるので、反射偏光層１８の反射軸１８ｒと、偏光板３６の透過軸３６ｔの成す交差角φを小さくするほど反射表示を明るくすることができ、前記交差角φを、９０°以下の範囲内で大きくするほど、透過表示を明るくすることができることによる。これにより、液晶表示装置１０の用途に合わせて柔軟に液晶パネル１１の反射／透過特性を設定することが可能になっている。
尚、上記交差角φの調整によって反射表示及び透過表示の明るさが調整できることについては、後述の（表示原理）の項にて詳述する。
【００２５】
また、本実施形態において、上記交差角φは、０°〜７０°の範囲内で所定の角度に調整されることが好ましい。前記交差角φを０°に近づけるほど、透過表示を明るくすることができ、φ＝０°とすれば、反射表示は液晶の電圧印加状態によらず暗表示となるものの、透過表示の明るさを最大にすることができる。すなわち、φ＝０°とするならば、下基板１３の外側に偏光板を設ける必要が無く、また、液晶層１６に入射せずにバックライト１２側へ反射される光をリサイクルすることが可能な、薄型、軽量の透過型液晶表示装置が得られる。
【００２６】
一方、交差角φを９０°以下の範囲で大きくするほど、反射表示を明るくすることができ、φ＝９０°とすれば、反射表示のみの液晶表示装置を構成することができる。但しこの場合には、反射表示を行うことのみを目的として反射偏光層１８を設けるメリットはないので、透過表示の明るさを確保できる範囲として、本実施形態では前記交差角φの上限値は７０°とされる。
【００２７】
具体的には、上記交差角φは、図４に示す金属反射膜１８ａ、及び開口部１８ｂの延在方向を変更する方法や、図５に示す凸状部１８ｃの延在する向きを変更する方法により、容易に変更することができる。従って、液晶表示装置１０の用途に応じて反射／透過特性の変更が生じた場合にも、迅速に対応することが可能である。
【００２８】
また、図３では、下基板１３に隣接する位置の液晶分子Ｌ２は、反射偏光層１８の反射軸１８ｒにほぼ平行に配向されている場合を図示しており、この配置とすることで液晶表示装置のコントラストを最大にすることができるが、反射モード、透過モードの双方で、二色性色素による吸収も作用するため、液晶分子Ｌ２と反射軸１８ｒとは、３０°以下の角度を成して配置されていても実用上問題ないコントラストを得ることができる。
【００２９】
（表示原理）
以下、本実施形態の液晶表示装置１０の表示原理を図２を参照して説明する。まず、反射モードで暗表示（黒表示）を行う場合（図２左側参照）には、液晶層１６に電圧を印加しない状態（非選択電圧印加状態）とし、液晶分子Ｌ及び二色性色素分子Ｓが上下基板間で、所定のツイスト角を有してツイスト配向した状態とする。偏光板３６の上方から入射した光は、偏光板３６の透過軸が紙面に平行なので、偏光板３６を透過した後、紙面に平行な直線偏光となる。この直線偏光は、液晶分子Ｌの捩れに沿って二色性色素分子Ｓに吸収されながら旋光し、反射偏光層１８に到達して反射された後、さらに同じ経路を辿って二色性色素分子Ｓに吸収されながら旋光して上基板１４側に戻ってくる。この場合、光は液晶層１６を２度通ることとなるため、二色性色素に充分吸収される。仮に二色性色素で充分に吸収しきれなかった光があったとしても、偏光板３６も光の一部を吸収するため、充分に暗い表示が成される。
【００３０】
次に、透過モードで暗表示を行う場合（図２の左側参照）には、液晶分子Ｌ及び二色性色素分子Ｓの配向は、反射モードの暗表示と同様にしておく。バックライト１２から入射した光は、反射偏光層１８の透過軸１８ｔに平行な偏光成分のみが透過されて液晶層１６に入射する。液晶層１６に入射した光は、図３に示すように、二色性色素分子Ｓの配向方向と直交しているので、二色性色素分子Ｓにはほとんど吸収されず、液晶の旋光性によりその偏光方向が回転され、紙面に垂直な直線偏光となって上基板１４に到達する。この直線偏光は、その偏光方向が上基板３６の透過軸方向と直交しているので、上基板３６により吸収され、暗表示となる。
また、本構成の液晶表示装置では、旋光されずに液晶層１６を透過する光があったとしても、その経路中で二色性色素分子Ｓにより吸収されるため、暗表示をより暗くすることができ、高いコントラストが得られるという利点も有している。
【００３１】
一方、反射モードで明表示を行う場合（図２の右側参照）には、液晶層１６に電圧を印加した状態（選択電圧印加状態）とし、液晶分子Ｌ及び二色性色素分子Ｓが基板面の略法線方向に立ち上がった状態とする。この場合、液晶層１６に偏光板３６から入射した紙面に平行な直線偏光は、二色性色素によってほとんど吸収されず、また旋光することなく、反射偏光層１８に入射する。この反射偏光層１８により、図３に示す反射軸１８ｒと平行な偏光成分が反射され、再度液晶層１６を透過して偏光板３６へ戻る。そして、偏光板３６に入射した光のうち、偏光板３６の透過軸３６ｔと平行な偏光成分が透過されて観察者側へ戻り、明表示となる。従って、本実施形態の液晶表示装置１０における反射表示の明るさは、反射偏光層１８の反射軸１８ｒと、偏光板３６の透過軸３６ｔとの交差角φにより決定され、反射軸１８ｒと透過軸３６ｔとを平行に近づけるほど（交差角φを小さくするほど）、反射表示を明るくすることができる。
【００３２】
次に、透過モードの明表示を行う場合（図２右側参照）には、液晶分子Ｌ及び二色性色素分子Ｓの配向は反射モードの明表示と同様、基板面に対して略垂直に立ち上がった状態とされる。この配向状態の時には、二色性色素による光の吸収がほとんど無く、また液晶の旋光性も作用しないため、バックライト１２から入射して、反射偏光層１８を透過した、反射偏光層１８の透過軸１８ｔと平行な直線偏光は、そのまま液晶層１６を透過して偏光板３６に到達する。そして、偏光板３６の透過軸と平行な成分が透過され、観察者に到達して明表示となる。従って、本実施形態の液晶表示装置１０における透過表示の明るさは、反射偏光層１８の透過軸１８ｔと、偏光板３６の透過軸３６ｔとの交差角（１８０°−φ）により決定され、反射軸１８ｒと透過軸３６ｔとを平行に近づけるほど（交差角φを小さくするほど）、反射表示を明るくすることができる。
尚、透過モードの場合、光が液晶層１６を１回しか透過しないので、反射モードの暗表示で充分な暗さを得られるように色素濃度を設定した場合にも、透過モードにおける明るさ低下への影響は少なくてすむ。
【００３３】
また、透過モードにおいて、反射偏光層１８の裏面（下基板１３側）で反射された光は、そのままバックライト１２へ戻り、バックライト１２下面の反射板４０で反射されて再度液晶パネル１１に向けて出射されるので、反射偏光層１８の裏面で反射した光を再利用して透過表示の輝度を向上させることができる。
このように、本実施形態の液晶表示装置では、従来バックライト光のリサイクルに必要であった外付けの反射偏光板が不要であるため、装置を薄型化することができる。従って、本実施形態の液晶表示装置は、下基板１３の外側に偏光板、及び反射偏光板を設けることなく、明るい透過表示を得ることができ、薄型化、軽量化が重要な携帯機器に用いて好適な半透過反射型の液晶表示装置として極めて優れている。
【００３４】
本実施形態の液晶表示装置では、図１に示すように、反射偏光層１８に透過表示のための開口部を設ける必要がないため、製造が容易であり、低コストに製造することができる。そして、前記開口部が無いことから、画素領域内の全面で透過表示ないし反射表示を行うので、光の利用効率が高く、明るい表示が得られるという利点もある。
また、反射モードと透過モードでネガポジ反転が生じないため、外光が液晶パネルに入射する環境で透過表示を行った場合にも、コントラストの低下を生じることが無く、高画質の表示を得ることができる。
【００３５】
さらに、本実施形態の液晶表示装置１０においては、反射表示におけるコントラストを、透過表示の表示品質を損なうことなく設定できるという利点を有している。すなわち、暗表示において、反射表示では液晶による旋光と二色性色素による吸収の双方を利用し、透過表示では液晶の旋光性のみを利用しているため、液晶層１６への二色性色素の添加量等により反射表示のコントラスト（黒レベル）を調整したとしても、透過表示には二色性色素の濃度はほとんど影響せず、高いコントラストを維持することができる。
【００３６】
尚、本実施形態の液晶表示装置において、二色性色素の添加量については、通常のゲストホストモードとは異なり、少ない方が好ましい。それは、本実施形態の場合、反射表示においては、二色性色素の吸収のみを用いるのではなく、液晶の旋光性も併せて用いるため、色素をそれほど多くしなくとも充分な暗表示が得られること、また、色素が多いと液晶分子Ｌ及び二色性色素分子Ｓが垂直配向していても明表示における吸収が増えることとなり、表示の明るさが低下するためである。
【００３７】
（電子機器）
図６は、本発明に係る液晶表示装置を表示部に備えた電子機器の一例である携帯電話の斜視構成図であり、この携帯電話１３００は、本発明の液晶表示装置を小サイズの表示部１３０１として備え、複数の操作ボタン１３０２、受話口１３０３、及び送話口１３０４を備えて構成されている。
上記実施の形態の液晶表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、明るく、高コントラストの表示を提供することができる。
【図面の簡単な説明】
【図１】図１は、実施形態の液晶表示装置の部分断面構成図。
【図２】図２は、同、液晶表示装置の動作原理を示す説明図。
【図３】図３は、同、液晶分子の配向状態を示す説明図。
【図４】図４は、同、反射偏光層の一構成例を示す斜視構成図。
【図５】図５は、同、反射偏光層の一構成例を示す斜視構成図。
【図６】図６は、電子機器の一例を示す斜視構成図。
【符号の説明】
１０…液晶表示装置、１１…液晶パネル、１２…バックライト（照明装置）、１３…下基板、１４…上基板、１６…液晶層、１８…反射偏光層、１８ａ…金属反射膜、１８ｂ…開口部、１８ｃ…凸状部、１８ｄ…第１誘電体層、１８ｅ…第２誘電体層、２４，３３…配向膜、３６…偏光板（偏光層）、Ｓ…二色性色素分子、Ｌ…液晶分子
【図１】
2004341109.tif 000003
【図２】
2004341109.tif 000004
【図３】
2004341109.tif 000005
【図４】
2004341109.tif 000006
【図５】
2004341109.tif 000007
【図６】
2004341109.tif 000008